(57)【要約】【課題】簡単な構成でリール（ドラム表示器）の周面をより明るく発光させる。【解決手段】ドラム表示器３３Ｌ，３３Ｒの内側にバックライト装置３３４Ｌ，３３４Ｒを配置する。周面壁ＦＲ１の内周面に対向して配置する反射面３３５Ａに、ＬＥＤランプＬ１が配置された側の端部から他端部に向かって、周面壁ＦＲ１の内周面に近づくように傾きを付ける。ＬＥＤランプＬ１を、その光軸Ｃが反射面３３５Ａに交叉するように配置する。【効果】ＬＥＤランプＬ１からの照射光を周面壁ＦＲ１側に均一に反射させることができる。【選択図】            図４
2004222934.tif 000002
【特許請求の範囲】
【請求項１】
外周面に所定の表示内容が描かれた略円筒形状のリールを回転させて、遊技に関する表示を行うことができる遊技機用表示装置であって、
上記リールの一端面側から他端面側に向かって、上記リール内に光を照射する発光部と、
上記発光部から照射された光をリール内周面に反射させるための反射面であって、上記リールの内周面に沿って円弧状に湾曲し、上記リールの内周面に対して一定の間隔を空けて対向するように配置されており、上記発光部が配置された側の端部から他端部に向かって、上記リールの内周面に近づくように傾きが付けられた反射面とを含むことを特徴とする遊技機用表示装置。
【請求項２】
上記反射面は、白色の鏡状面に形成されていることを特徴とする請求項１記載の遊技機用表示装置。
【請求項３】
上記発光部から照射される光は指向性を有しており、その指向性分布のピークが上記反射面を向いていることを特徴とする請求項１または２記載の遊技機用表示装置。
【請求項４】
上記反射面の他端部は、上記リールの端面近傍まで延びており、突起のない滑らかな面となっていることを特徴とする請求項１〜３のいずれかに記載の遊技機用表示装置。
【請求項５】
上記反射面の一端側から他端側に延びるように形成され、互いに周方向に所定の間隔を空けて立設された複数の区画板をさらに含むことを特徴とする請求項１〜４のいずれかに記載の遊技機用表示装置。
【請求項６】
所定の条件が成立したことに応答して抽選を行い、その抽選結果に応じた内容で遊技を実行可能な遊技機であって、
上記抽選結果が、請求項１〜５のいずれかに記載の遊技機用表示装置により表示されることを特徴とする遊技機。
【発明の詳細な説明】
【０００１】
【発明の属する技術分野】
この発明は、パチンコ機やスロットマシンなどの遊技機に関し、特に、遊技に関する表示を行うための遊技機用表示装置に関する。
【０００２】
【従来の技術】
通常、パチンコ機やスロットマシンなどの遊技機には、遊技に関する表示（たとえば、抽選結果の表示）を行うために複数種類の図柄を変動表示可能な可変表示装置が備えられている。可変表示装置の中には、たとえば、その周面に複数種類の図柄が描かれた略円筒形状の回転ドラム（リール）を備え、回転ドラムを回転させることにより、図柄を変動表示させることができるようになっているものがある。
【０００３】
この種の可変表示装置の中には、回転ドラムを透光性のある部材で構成するとともに、回転ドラムの内部に複数のＬＥＤランプを配置したものがある（たとえば、特許文献１参照）。複数のＬＥＤランプは、たとえば平板状の基板に取り付けられて、回転ドラム内の手前側に、前方（回転ドラムの周面側）に向かって光を照射できるように配置される。このような可変表示装置によれば、遊技中に各ＬＥＤランプを発光させて回転ドラムの周面を照らすことにより、種々の演出を行うことができる。
【０００４】
しかしながら、回転ドラムの周面は湾曲しているため、上記のように平板状の基板に複数のＬＥＤランプを取り付けた場合、各ＬＥＤランプからの回転ドラム周面までの距離が異なり、回転ドラムの周面を均一に発光させることができないという問題があった。ここで、基板を回転ドラムの周面に沿って湾曲させれば上記のような問題は生じないが、基板を湾曲して形成するのは一般的に困難である。
【０００５】
上記課題を解決するために、基板を回転ドラムの端面に対向するように配置するとともに、その基板に、照射光が回転ドラムの一端面側から他端面側に向かうように各ＬＥＤランプを取り付けた構造を有する可変表示装置が提案されている（たとえば、特許文献２参照）。この構成によれば、各ＬＥＤランプを回転ドラムの周面に沿って配置することができるので、回転ドラムの周面を均一に発光させることができる。
【０００６】
一般的に、ＬＥＤランプから照射される光は、その光軸に沿って指向性を有している。したがって、各ＬＥＤランプの光軸を回転ドラムの周面に対して平行に配置した上記のような構成の場合には、各ＬＥＤランプからの光の指向性分布のピーク（最大）が、光軸に沿って回転ドラムの一端面側から他端面側に向くこととなり、回転ドラムの周面を明るく発光させることができない。そこで、上記従来技術の可変表示装置では、微細な凹凸の線状パターンが形成された拡散面を有する導光板を設けて、各ＬＥＤランプからの照射光を導光板の表面で拡散させることにより、回転ドラムの周面をより明るく発光させることが提案されている。
【０００７】
【特許文献１】
特開平１０−５２５３３号公報
【特許文献２】
特開２０００−１４０２０２号公報
【０００８】
【発明が解決しようとする課題】
しかしながら、上記のように導光板を設けるような構成の場合、部品点数が増え、構造が複雑になるという問題があった。
この発明は、かかる背景のもとでなされたもので、簡単な構成でリール（ドラム表示器）の周面をより明るく発光させることができる遊技機用表示装置およびこれを備えた遊技機を提供することを目的とする。
【０００９】
【課題を解決するための手段および発明の効果】
上記目的を達成するための請求項１記載の発明は、外周面に所定の表示内容が描かれた略円筒形状のリール（３３Ｌ，３３Ｒ）を回転させて、遊技に関する表示を行うことができる遊技機用表示装置（３３）であって、上記リールの一端面側から他端面側に向かって、上記リール内に光を照射する発光部（Ｌ１）と、上記発光部から照射された光をリール内周面に反射させるための反射面（３３５Ａ）であって、上記リールの内周面に沿って円弧状に湾曲し、上記リールの内周面に対して一定の間隔を空けて対向するように配置されており、上記発光部が配置された側の端部から他端部に向かって、上記リールの内周面に近づくように傾きが付けられた反射面とを含むことを特徴とする遊技機用表示装置である。
【００１０】
なお、括弧内の英数字は、後述の実施形態における対応構成要素などを表す。以下、この項において同じ。
たとえば、上記発光部からの照射光は、その光軸を中心にして所定の角度まで広がりながら進行する指向性分布を有している。
この発明の構成によれば、反射面には、発光部が配置された側の端部から他端部に向かって、リールの内周面に近づくように傾きが付けられているので、発光部からの照射光をリール内周面側に均一に反射させることができる。すなわち、反射面の光軸に対する傾斜角度を発光部の照射光の指向性分布に応じた角度に設定することにより、指向性分布のピーク（最大）に近いほどリール内周面までの光路長が長く、指向性分布のピークから遠いほどリール内周面までの光路長が短くなるようにすれば、発光部からの照射光をリール内周面側に均一に反射させることができる。
【００１１】
したがって、簡単な構成でリールの周面をより明るく発光させることができる。
請求項２記載の発明のように、上記反射面（３３５Ａ）は、白色の鏡状面（光の反射率が高い光沢のある滑らかな面）に形成されていれば、発光部からの照射光を良好に反射できるので、リールの周面をより明るく発光させることができる。
【００１２】
上記反射面は、白色顔料を混ぜ込んだＡＢＳ樹脂により形成された部材で構成されていてもよい。
請求項３記載の発明は、上記発光部（Ｌ１）から照射される光は指向性を有しており、その指向性分布のピーク（最大）が上記反射面（３３５Ａ）を向いていることを特徴とする請求項１または２記載の遊技機用表示装置（３３）である。
たとえば、上記反射面の他端部は、上記発光部の光軸よりも上記リールの周面側まで延びている。すなわち、上記発光部の光軸は、上記反射面に交叉している。
【００１３】
この発明の構成によれば、発光部からの照射光の大部分を反射面で反射させることができ、発光部からの照射光が反射面の他端部側から漏れるのを防止できるので、リールの周面をより明るく発光させることができる。
請求項４記載の発明は、上記反射面（３３５Ａ）の他端部は、上記リール（３３Ｌ，３３Ｒ）の端面近傍まで延びており（上記リールの幅とほぼ等しい幅を有しており）、突起のない滑らかな面となっている（反射面からリール内周面側に突出する端面板が設けられていない）ことを特徴とする請求項１〜３のいずれかに記載の遊技機用表示装置である。
【００１４】
たとえば、反射面の幅がリール周面の幅よりも短い場合に、反射面の他端部に突起（端面板）が配置されている場合には、その突起よりも発光部に対して反対側（リールの他端部）には発光部からの照射光が届かないため、リールの他端部を発光させることができなくなってしまう。
この発明の構成によれば、反射面に反射した発光部からの光を、リールの他端部にまで到達させることができるので、リールの周面を幅方向全体に渡って良好に発光させることができる。
【００１５】
請求項５記載の発明のように、上記反射面（３３５Ａ）の一端側から他端側（幅方向）に延びるように形成され、互いに周方向に所定の間隔を空けて立設された複数の区画板（３３７Ｂ）をさらに含むような構成であれば、反射面を各区画板により区画された複数の発光領域に分割することができる。したがって、各発光領域を個別に発光させるなどして種々の演出を行うことができる。
この場合、上記複数の区画板は、それぞれが上記リール周面に向かう一方向（前方）に立ち上がるように、互いの表面が平行に配置されていれば、各発光領域で反射する光をより均一にリール内周面側に反射させることができる。
【００１６】
上記複数の区画板の表面は、白色の鏡状面（光の反射率が高い光沢のある滑らかな面）に形成されていることが好ましい。
請求項６記載の発明は、所定の条件が成立したこと（たとえば、所定の領域を遊技球が通過したこと）に応答して抽選を行い、その抽選結果に応じた内容で遊技を実行可能な遊技機であって、上記抽選結果が、請求項１〜５のいずれかに記載の遊技機用表示装置（３３）により表示されることを特徴とする遊技機である。
【００１７】
この構成によれば、請求項１〜５のいずれかに記載の発明と同様の効果を奏する遊技機用表示装置を用いて抽選結果を表示可能な遊技機を提供することができる。すなわち、簡単な構成でリールの周面をより明るく発光させることができる遊技機用表示装置を備えた遊技機を提供することができる。
【００１８】
【発明の実施の形態】
以下では、この発明の実施の形態を、添付図面を参照して詳細に説明する。
図１は、この発明の一実施形態に係るパチンコ機の正面図である。このパチンコ機は、遊技店内において遊技島を構成するための設備に固定されるベース１と、このベース１に開閉自在に取り付けられた正面扉２とを備えている。
正面扉２には、その上部を開口する略円形の窓２１が形成されており、この窓２１を介して、その奥側に設けられた遊技盤３を視認できるようになっている。また、窓２１の下方には、遊技に使用する遊技球（パチンコ玉）を貯留しておくための球皿４が設けられている。球皿４の前面は、手前に張り出すように湾曲したカバー５で覆われている。
【００１９】
カバー５の右下隅には、凹部５１が形成されており、この凹部５１に突出するように、遊技の際に操作されるハンドル６が配設されている。ハンドル６は、ほぼ円柱状のグリップ６１と、このグリップ６１の中心軸線まわりに回動自在に設けられた回転操作部材６２とを有している。球皿４内に遊技球が貯留された状態で、回転操作部材６２が回転操作されると、機内に設けられた球発射装置（図示せず）が作動し、球皿４内の遊技球が球発射装置に取り込まれて、球発射装置から遊技盤３の盤面に向けて発射される。
【００２０】
遊技盤３の盤面には、ほぼ円弧状のガイドレール３１が配設されており、球発射装置から発射された遊技球は、ガイドレール３１に案内されて遊技盤３の上部へと導かれる。遊技盤３の盤面には、多数本の障害釘（図示せず）が配設されており、遊技盤３の上部に導かれた遊技球は、その障害釘の間を通って下方へと落下していく。遊技盤３の盤面上の遊技球が通過する領域（窓２１を介して視認可能な領域）の最下部には、この最下部まで達した遊技球をアウト球として機内に回収するためのアウト球回収口３２が形成されている。
【００２１】
遊技盤３のほぼ中央には、可変表示装置３３が配置されている。可変表示装置３３は、２つのドラム表示器（リール）３３Ｌ，３３Ｒと、これら２つのドラム表示器３３Ｌ，３３Ｒの間に配設された１つのドット表示器３３Ｃとを備えている。
各ドラム表示器３３Ｌ，３３Ｒの周面には、たとえば、「３」、「Ｒ」、「５」、「Ａ」、「７」、「Ｙ」の６つ（６種類）の図柄が描かれている。ドラム表示器３３Ｌ，３３Ｒは、ほぼ水平な回転軸線まわりに回転可能であり、ドラム表示器３３Ｌ，３３Ｒの回転中は、各ドラム表示器３３Ｌ，３３Ｒの６つの図柄を上記の順序（・・・→３→Ｒ→５→Ａ→７→Ｙ→３→・・・）で次々に視認することができる。一方、ドラム表示器３３Ｌ，３３Ｒが停止した状態では、各ドラム表示器３３Ｌ，３３Ｒの６つの図柄のうちのそれぞれ１つを視認することができる。
【００２２】
ドット表示器３３Ｃは、表面が上下方向にドラム表示器３３Ｌ，３３Ｒの表面とほぼ同じ曲率で凸湾曲しており、この凸湾曲した表面の内側には、多数個のＬＥＤランプＬ２が行列状（たとえば、１３行×５列）に配列されている（図４参照）。ドット表示器３３Ｃは、各ＬＥＤランプＬ２を選択的に点灯させることにより、たとえば、ドラム表示器３３Ｌ，３３Ｒの周面に描かれている図柄と同じ図柄「３」、「Ｒ」、「５」、「Ａ」、「７」、「Ｙ」をこの順序（・・・→３→Ｒ→５→Ａ→７→Ｙ→３→・・・）でスクロール表示させたり、その６つの図柄のうちの１つを停止表示させたりすることができる。
【００２３】
可変表示装置３３の下方には、遊技球が入球可能な始動入賞口３４が配置されている。遊技球が遊技盤３の盤面上を落下する過程で始動入賞口３４に入ると、この入球に対して、それぞれ予め定める個数（たとえば、７個）の遊技球が賞球として付与されるとともに、遊技者に大当たり遊技を実行する機会を付与するか否か（大当たりかはずれか）を決定するための大当たり抽選が行われる。この大当たり抽選の結果は、可変表示装置３３に３つの図柄の組合せで表示される。すなわち、ドラム表示器３３Ｌ，３３Ｒの回転によって視認可能な図柄が変動するとともに、ドット表示器３３Ｃの表示図柄が変動した後、これらの図柄変動が所定の順序で停止されていき、最終的にすべての表示器３３Ｌ，３３Ｃ，３３Ｒにそれぞれ１つの図柄が停止表示されることにより、大当たり抽選の結果が表示されるようになっている。
【００２４】
大当たり抽選の結果が大当たりである場合には、たとえば、すべての表示器３３Ｌ，３３Ｃ，３３Ｒに同じ図柄が表示されることにより、可変表示装置３３に３つの同一図柄からなる大当たり図柄が表示され、その後、遊技者は大当たり遊技を実行することができる。大当たり遊技では、始動入賞口３４の下方に配置された大入賞口３５が予め定める態様で開閉される。具体的には、大入賞口３５を約３０秒間または約１０個の遊技球が入るまで開放するといった動作を１ラウンドとして、この大入賞口開放動作（大当たり動作）が所定の最大継続ラウンド数を上限として行われる。大入賞口３５への遊技球の入球に対しては、予め定める個数（たとえば、１３個）の賞球が遊技者に付与される。したがって、大当たり遊技では、遊技者は、大入賞口３５に多数個の遊技球を入れて、多くの賞球を獲得することができる。
【００２５】
図２は、可変表示装置３３の正面図であり、図３は、可変表示装置３３の右側面図である。また、図４は、可変表示装置３３を水平面に沿って切断したときの断面を上方から見た断面図である。図２では、右のドラム表示器３３Ｒの周面の一部を切り欠いて、ドラム表示器３３Ｒの内側を露出させて示している。また、図３では、表示器３３Ｌ，３３Ｃ，３３Ｒを一体的に保持するケーシング３３１の一部を切り欠いて、そのケーシング３３１の内部を露出させて示している。以下、図２〜図４を参照して、可変表示装置３３の構成について具体的に説明する。
【００２６】
ケーシング３３１は、表示器３３Ｌ，３３Ｃ，３３Ｒの手前側を覆う前ケーシング３３１Ａと、後側を覆う後ケーシング３３１Ｂとを含む。後ケーシング３３１Ｂの左右側壁の前端部には、後ケーシング３３１Ｂを前ケーシングＡと連結するための爪部３３１Ｃが形成されている。表示器３３Ｌ，３３Ｃ，３３Ｒを前ケーシング３３１内の所定位置に配置した後、後ケーシング３３１Ｂをその爪部３３１Ｃが前ケーシング３３１Ａに係合するように取り付けることにより、表示器３３Ｌ，３３Ｃ，３３Ｒをケーシング３３１内に一体的に保持することができる。
【００２７】
ドット表示器３３Ｃは、略半円筒形状の周面壁３３８と、この周面壁３３８の外周面に行列状（たとえば、１３行×５列）に配列された多数個のＬＥＤランプＬ２と、ＬＥＤランプＬ２の手前側を覆うカバー部材３３９とを備えている。カバー部材３３９が周面壁３３８に取り付けられた状態では、当該カバー部材３３９の表面（前面）が上下方向にドラム表示器３３Ｌ，３３Ｒの表面とほぼ同じ曲率で凸湾曲し、ドット表示器３３Ｃの表面とドラム表示器３３Ｌ，３３Ｒの表面とが面一になる。カバー部材３３９は、各ＬＥＤランプＬ２に対向する部分が透光性を有する部材で形成されており、各ＬＥＤランプＬ２を発光させると、そのＬＥＤランプＬ２に対応する部分の表面が発光するようになっている。
【００２８】
各ドラム表示器３３Ｌ，３３Ｒは、たとえば、円筒状の周面壁ＦＲ１と、周面壁ＦＲ１の一端面（ドット表示器３３Ｃ側の面）から中心に向かって屈曲して延びる複数本（たとえば、６本）のリブＦＲ２とを備えている。
周面壁ＦＲ１の外周面には、たとえば、白色半透明の帯状樹脂板（図示せず）が巻装されていて、この帯状樹脂板の表面（周面）に上述した６つの図柄が描かれている。ケーシング３３１（前ケーシング３３１Ａ）の前面には、たとえば矩形の開口３３３が形成されていて、各ドラム表示器３３Ｌ，３３Ｒは、その周面壁ＦＲ１の周面が開口３３３から前方に張り出すようにして配置されている。
【００２９】
各ドラム表示器３３Ｌ，３３Ｒの複数本のリブＦＲ２は、たとえば、それらの一端部が周面壁ＦＲ１の一端面に対して互いに等角度間隔（たとえば、６０°）で連結されていて、互いの他端部が周面壁ＦＲ１の中心軸線上で連結されている。各ドラム表示器３３Ｌ，３３Ｒの軸線方向一方側（ドット表示器３３Ｃと反対側）には、それらの端面に対向して基板ＢＬ，ＢＲが配置されている。各基板ＢＬ，ＢＲには、各ドラム表示器３３Ｌ，３３Ｒを回転させるためのドラムモータ３３２Ｌ，３３２Ｒが固定されていて、各ドラム表示器３３Ｌ，３３ＲのリブＦＲ２の連結部には、各ドラムモータ３３２Ｌ，３３２Ｒの回転軸３３６が結合されている。
【００３０】
上記のような構成により、ドラムモータ３３２Ｌ，３３２Ｒを回転駆動させると、ドラムモータ３３２Ｌ，３３２Ｒの回転軸３３６を中心に各ドラム表示器３３Ｌ，３３Ｒが回転し、各ドラム表示器３３Ｌ，３３Ｒの周面に描かれた６つの図柄が次々と開口３３３を介して前面側に現れるようになっている。
各ドラム表示器３３Ｌ，３３Ｒの内側には、当該ドラム表示器３３Ｌ，３３Ｒの周面をそれぞれ内側から照らして演出を行うためのバックライト装置３３４Ｌ，３３４Ｒが配置されている。バックライト装置３３４Ｌ，３３４Ｒは、各ドラム表示器３３Ｌ，３３Ｒの内側の手前部分に配置されており、各ドラム表示器３３Ｌ，３３Ｒの周面壁ＦＲ１の内周面に沿って円弧状に湾曲した形状となっている。各バックライト装置３３４Ｌ，３３４Ｒは、たとえば、基板ＢＬ，ＢＲに固定されている。
【００３１】
各バックライト装置３３４Ｌ，３３４Ｒは、各ドラム表示器３３Ｌ，３３Ｒの一端面側（ドット表示器３３Ｃと反対側）から他端面側（ドット表示器３３Ｃ側）に向かって光を照射する複数のＬＥＤランプＬ１を備えている。これらの複数のＬＥＤランプＬ１は、それぞれの光軸Ｃが周面壁ＦＲ１の中心軸線（回転軸３３６）に対して平行に延びるように配置されている。この実施形態に係るバックライト装置３３４Ｌ，３３４Ｒには、たとえば、青色、赤色および緑色の３色のＬＥＤランプＬ１が４つずつ（計１２個）備えられていて、これらのＬＥＤランプＬ１が、上方から下方に向かって上記順序（青色、赤色、緑色）で繰り返し連続するように、周面壁ＦＲ１の湾曲に沿って１列に並べて配置されている。
【００３２】
複数のＬＥＤランプＬ１は、それらが光を照射する方向（光軸Ｃ方向）に一定の長さを有する筒状部３３５Ｂ内に配置されている。筒状部３３５Ｂの前面は、その先端が手前側に折れ曲がった形状となっていて、これにより、周面壁ＦＲ１のドット表示器３３Ｃと反対側の端面に沿って延びる端面板３３５Ｃが形成されている。また、筒状部３３５Ｂの後面は、周面壁ＦＲ１のドット表示器３３Ｃ側の端面近傍まで張り出しており、周面壁ＦＲ１の内周面に対して一定の間隔を空けて対向する反射面３３５Ａを構成している。
【００３３】
反射面３３５Ａは、ＬＥＤランプＬ１から照射された光を周面壁ＦＲ１側に反射させるためのものであって、ＬＥＤランプＬ１側の端部から他端部に向かって、周面壁ＦＲ１の内周面に近づくように、ＬＥＤランプＬ１の光軸Ｃに対して所定角度だけ傾斜して延びている。反射面３３５Ａは、開口３３３の上端縁近傍から他端縁近傍まで上下に延びており、その上端辺および下端辺からは、当該反射面３３５Ａに対して直立する端面板３３７Ａが形成されている（図２参照）。端面板３３５Ｃと端面板３３７Ａとにより、ＬＥＤランプＬ１から照射された光が、ドット表示器３３Ｃと反対側および上下方向に漏れるのを防止できる。
【００３４】
また、反射面３３５Ａには、複数（たとえば、３つ）の区画板３３７Ｂが、上下方向に互いに一定の間隔を空けて左右方向に延びるように、突出して形成されている。各区画板３３７Ｂは、前方（水平方向）に向かって立ち上がっており、互いの表面が平行になるように配置されている。
上記のような構成により、反射面３３５Ａは、端面板３３７Ａと区画板３３７Ｂとによって、上下方向に並ぶ４つの発光領域に区画されている。反射面３３５Ａの側方に上下に並べて配置された複数のＬＥＤランプＬ１は、隣接する青色、赤色および緑色の３つのＬＥＤランプＬ１を１組として、計４組のＬＥＤランプＬ１がそれぞれ異なる発光領域内に位置している。したがって、各組の３つ（青色、赤色および緑色）のＬＥＤランプＬ１を発光させることにより、その組のＬＥＤランプＬ１に対応する発光領域を発光させることができる。
【００３５】
また、各区画板３３７Ｂが前方に向かって立ち上がっているので、各発光領域で反射する光をより均一に周面壁ＦＲ１の内周面側に反射させることができる。
この実施形態では、各組の３色のＬＥＤランプＬ１を選択的に発光させることにより、各発光領域を、たとえば、赤色、緑色、青色、黄色、紫色、水色および白色の７色に発光させることができるようになっている。すなわち、すべての発光領域を１色で発光させて、反射面３３５Ａ全体を１色で発光させることもできるし、上下方向に並ぶ各発光領域を順次発光させることにより、光が上下方向に流れるような演出を行ったり、各発光領域をランダムに発光させるような演出を行ったりすることもできる。
【００３６】
バックライト装置３３４Ｌ，３３４Ｒの反射面３３５Ａ、筒状部３３５Ｂ、区画板３３７Ｂおよび端面板３３５Ｃ，３３７Ａなどは、たとえば、白色顔料を混ぜ込んだＡＢＳ樹脂により一体形成された部材で構成されている。そして、反射面３３５Ａ、区画板３３７Ｂおよび端面板３３５Ｃ，３３７Ａは、光沢のある滑らかな面（鏡状面）に形成されており、これにより光の反射率が高くなっている。
【００３７】
各ＬＥＤランプＬ１から照射される光は、その光軸Ｃに沿って指向性を有している。すなわち、各ＬＥＤランプＬ１からの照射光は、光軸Ｃを中心にして所定の角度まで広がりながら進行する指向性分布を呈しており、その指向性分布のピーク（最大）が、光軸Ｃに沿って周面壁ＦＲ１の一端面側から他端面側に向いている。この実施形態では、反射面３３５ＡがＬＥＤランプＬ１側の端部から他端部に向かって周面壁ＦＲ１の内周面に近づくように傾斜しているので、指向性を有する各ＬＥＤランプＬ１からの照射光を周面壁ＦＲ１側に均一に反射させることができる。
【００３８】
より具体的には、反射面３３５Ａの光軸Ｃに対する傾斜角度を、ＬＥＤランプＬ１からの照射光の指向性分布に応じた角度に設定することにより、指向性分布のピークに近いほど周面壁ＦＲ１までの光路長が長く、指向性分布のピークから遠いほど周面壁ＦＲ１までの光路長が短くなるようにすれば、ＬＥＤランプＬ１からの照射光を周面壁ＦＲ１側に均一に反射させることができる。このような構成により、簡単な構成でドラム表示器３３Ｌ，３３Ｒの周面をより明るく発光させることができる。
【００３９】
特に、反射面３３５Ａは鏡状面に形成されており、光の反射率が高いので、ＬＥＤランプＬ１からの照射光を良好に反射できる。したがって、ドラム表示器３３Ｌ，３３Ｒの周面をさらに明るく発光させることができる。
反射面３３５Ａのドット表示器３３Ｃ側の端部は、各ＬＥＤランプＬ１の光軸Ｃよりも手前側（周面壁ＦＲ１側）まで延びている。したがって、各ＬＥＤランプＬ１の光軸Ｃが反射面３３５Ａに交叉するようになっている。上述のように、各ＬＥＤランプＬ１から照射される光はその光軸Ｃに沿って指向性を有しているが、上記のような構成により、指向性分布のピークが反射面３３５Ａを向き、ＬＥＤランプＬ１からの照射光の大部分を反射面３３５Ａで反射させることができる。したがって、各ＬＥＤランプＬ１からの照射光がドット表示器３３Ｃ側に漏れるのを防止できるので、バックライト装置３３４Ｌ，３３４Ｒにより照らされる各ドラム表示器３３Ｌ，３３Ｒの周面をより明るくすることができる。
【００４０】
反射面３３５Ａのドット表示器３３Ｃ側の端部は、突起のない滑らかな面となっている。すなわち、反射面３３５Ａのドット表示器３３Ｃ側の端部には、反射面３３５Ａから手前側（周面壁ＦＲ１側）に突出する端面板は設けられていない。この実施形態では、ドラム表示器３３Ｌ，３３Ｒの各リブＦＲ２が、周面壁ＦＲ１のドット表示器３３Ｃ側の端面から内側に突出した形状となっているので、反射面３３５Ａの幅が周面壁ＦＲ１の幅よりも短く、正面側から見たときに、周面壁ＦＲ１の後側に空間Ｓが生じてしまう（図２参照）。したがって、反射面３３５Ａのドット表示器３３Ｃ側の端部に端面板を配置すると、その端面板よりもドット表示器３３Ｃ側にはＬＥＤランプＬ１からの照射光が届かないため、ドット表示器３３Ｌ，３３Ｒの周面のうち、上記空間Ｓに対向する部分を発光させることができなくなってしまう。
【００４１】
この実施形態では、反射面３３５ＡをＬＥＤランプＬ１側の端部から他端部に向かって周面壁ＦＲ１の内周面に近づくように傾斜させるとともに、反射面３３５Ａのドット表示器３３Ｃ側の端部に端面板を設けないような構成とすることにより、反射面３３５Ａに反射したＬＥＤランプＬ１からの光を、周面壁ＦＲ１のドット表示器３３Ｃ側の端部にまで到達させることができる。したがって、ドット表示器３３Ｌ，３３Ｒの周面を左右方向（幅方向）全体に渡って良好に発光させることができる。
【００４２】
この発明は、以上の実施形態の内容に限定されるものではなく、請求項記載の範囲内において種々の変更が可能である。
たとえば、反射面３３５Ａは、周面壁ＦＲ１のドット表示器３３Ｃと反対側の端面近傍からドット表示器３３Ｃ側の端面近傍まで延びる構成、すなわち周面壁ＦＲ１の幅とほぼ等しい幅を有する構成に限らず、周面壁ＦＲ１の幅方向一定範囲にのみ対向するような構成であってもよい。
【００４３】
可変表示装置３３は、大当たり抽選の結果を表示するものではなく、遊技に関する他の演出を行うためのものであってもよい。
可変表示装置は、２つのドラム表示器３３Ｌ，３３Ｒと１つのドット表示器３３Ｃを備えた構成に限らず、たとえば、１ないし複数のドラム表示器だけで構成されるようなものであってもよいし、ドラム表示器と他の電気的表示器（液晶表示器や７セグメント表示器など）を備えた構成であってもよい。
【００４４】
この発明の一実施形態としてパチンコ機について説明したが、この発明はパチンコ機に限らず、スロットマシンなどの他の遊技機にも適用可能である。
【図面の簡単な説明】
【図１】この発明の一実施形態に係るパチンコ機の正面図である。
【図２】可変表示装置の正面図である。
【図３】可変表示装置の右側面図である。
【図４】可変表示装置を水平面に沿って切断したときの断面を上方から見た断面図である。
【符号の説明】
３３  可変表示装置
３３Ｌ，３３Ｒ  ドラム表示器
３３５Ａ  反射面
３３７Ｂ  区画板
Ｌ１  ＬＥＤランプ
【図１】
2004222934.tif 000003
【図２】
2004222934.tif 000004
【図３】
2004222934.tif 000005
【図４】
2004222934.tif 000006